(57)【要約】      （修正有）【課題】減法混色を行うようにシアン色、マゼンダ色、イエロ色のインクを用いる印刷プリンタに特殊な改造を行わず、発光インクを用いて紫外光励起により原画の色を再現できる印刷方法並びに画像データ作成方法及びこれら方法を用いた印刷物を提供する。【解決手段】印刷すべき各画素の画像データに対して、画像データを構成する各画素の色相データを発光インクによる印刷を行うための色相データに変更する色相データ変更工程と、画像データを構成する各画素の明度データを反転させ発光インク用の明度データに変更する明度データ変更工程と、を有し、発光インクを用いて紫外光励起により原画の色を再現できる印刷方法である。【選択図】図１
2008080789.tif 000002
【特許請求の範囲】
【請求項１】
減法混色を行うシアン色、マゼンダ色、イエロ色のインクを用いるための色変換処理手段を使用するインクジェットプリンタにより発光インクを用いて印刷を行うための印刷用画像データの作成方法であって、
印刷すべき各画素の画像データに対して、
前記画像データを構成する各画素の色相データを発光インクによる印刷を行うための色相データに変更する色相データ変更工程と、
前記画像データを構成する各画素の明度データを反転させ発光インク用の明度データに変更する明度データ変更工程と、
を有し、
前記色相データ変更工程では、
前記画像データの各画素の色相データにおいて、
各画素色を表現している成分のうち赤色発光成分が、色相データ環において赤色と緑色成分の間に存する色に変換され、
前記画像データの各画素色を表現している成分のうち緑色発光成分が、色相データ環において緑色と青色成分の間に存する色に変換され、
前記画像データの各画素色を表現している成分のうち青色発光成分が、色相データ環において青色と赤色成分の間に存する色に変換される、
ことを特徴とする発光インクを用いた印刷のための画像データの作成方法。
【請求項２】
減法混色を行うシアン色、マゼンダ色、イエロ色のインクを用いるための色変換処理手段を使用するインクジェットプリンタにより発光インクを用いて印刷を行うための印刷用画像データの作成方法であって、
印刷すべき各画素の画像データに対して、
前記画像データを構成する各画素の色相データを発光インクによる印刷を行うための色相データに変更する色相データ変更工程と、
前記画像データを構成する各画素の明度データを反転させ発光インク用の明度データに変更する明度データ変更工程と、
前記各画素の色相データの内、特定の色成分を他の色成分より強調するレベル補正工程と、を有し、
前記色相データ変更工程では、
前記画像データの各画素の色相データにおいて、
各画素色を表現している成分のうち赤色発光成分が、色相データ環において赤色と緑色成分の間に存する色に変換され、
前記画像データの各画素色を表現している成分のうち緑色発光成分が、色相データ環において緑色と青色成分の間に存する色に変換され、
前記画像データの各画素色を表現している成分のうち青色発光成分が、色相データ環において青色と赤色成分の間に存する色に変換される、
ことを特徴とする発光インクを用いた印刷のための画像データの作成方法。
【請求項３】
減法混色を行うシアン色、マゼンダ色、イエロ色のインクを用いるための色変換処理手段を使用するインクジェットプリンタに発光インクをセットするインクセット工程と、
印刷すべき各画素の画像データに対して、前記画像データを構成する各画素の色相データを発光インクによる印刷を行うための色相データに変更する色相データ変更工程と、
前記画像データを構成する各画素の明度データを反転させ発光インク用の明度データに変更する明度データ変更工程と、
前記色相データ変更工程および明度データ変更工程によって変更された画像データを用いて前記インクジェットプリンタにより印刷を行う工程と、
からなる発光インクを用いた印刷方法であって、
前記色相データ変更工程では、
前記画像データの各画素の色相データにおいて、
各画素色を表現している成分のうち赤色発光成分が、色相データ環において赤色と緑色成分の間に存する色に変換され、
前記画像データの各画素色を表現している成分のうち緑色発光成分が、色相データ環において緑色と青色成分の間に存する色に変換され、
前記画像データの各画素色を表現している成分のうち青色発光成分が、色相データ環において青色と赤色成分の間に存する色に変換される、
ことを特徴とする発光インクを用いた印刷方法。
【請求項４】
前記各画素の色相データの内、特定の色成分を他の色成分より強調するレベル補正工程をさらに備えた、請求項３に記載の印刷方法。
【請求項５】
前記発光インクに、青色発光インク（Ｂ）、赤色発光インク（Ｒ）および緑色発光インク（Ｇ）を用いることを特徴とする請求項３または請求項４に記載の印刷方法。
【請求項６】
請求項１から請求項５のいずれかに記載の方法を用いて発光インクを用いた印刷が付された室内装飾印刷物。
【請求項７】
請求項１から請求項５のいずれかに記載の方法を用いて発光インクを用いた印刷が付されたテーブルクロス。
【請求項８】
減法混色を行うシアン色、マゼンダ色、イエロ色のインクを用いるための色変換処理手段を使用するインクジェットプリンタにより発光インクを用いて印刷を行うための画像データの作成を演算処理ユニットに実行させるためのプログラムであって、
印刷すべき各画素の画像データに対して、
前記画像データを構成する各画素の色相データを発光インクによる印刷を行うための色相データに変更する色相データ変更工程と、
前記画像データを構成する各画素の明度データを反転させ発光インク用の明度データに変更する明度データ変更工程と、
を有し、
前記色相データ変更工程では、
前記画像データの各画素の色相データにおいて、
各画素色を表現している成分のうち赤色発光成分が、色相データ環において赤色と緑色成分の間に存する色に変換され、
前記画像データの各画素色を表現している成分のうち緑色発光成分が、色相データ環において緑色と青色成分の間に存する色に変換され、
前記画像データの各画素色を表現している成分のうち青色発光成分が、色相データ環において青色と赤色成分の間に存する色に変換される、
ことを特徴とする発光インクを用いた印刷のための色調整プログラム。
【請求項９】
前記各画素の色相データの内、特定の色成分を他の色成分より強調するレベル補正工程をさらに備えた、請求項８に記載の色調整プログラム。
【請求項１０】
請求項８または請求項９記載の色調整プログラムを組み込んだデジタルメディア。
【請求項１１】
請求項８または請求項９記載の色調整プログラムを組み込んだコンピュータ・デバイス。
【請求項１２】
請求項８または請求項９記載の色調整プログラムを組み込んだインクジェットプリンタ。
【発明の詳細な説明】
【技術分野】
【０００１】  本発明は、発光インクを用いた印刷方法並びに発光インクを用いた印刷に利用される画像データ作成方法及びこの方法を用いた印刷物、色調整プログラムに関する。より詳しくは、原図となるデジタル画像を暗室などの中において紫外光照射をおこなうと色再現できる紫外線反応型等の発光インクを用いた印刷方法並びに発光インクを用いた印刷に利用される画像データ作成方法及びこれら方法を用いた印刷物、発光インク出力用色調調整プログラムに関する。
【背景技術】
【０００２】  近年のプリンタ技術の発達により、コンピュータ内に取り込まれたカラー画像を精度よく色再現してプリントアウトすることが可能となってきている。このため、カラーイラストのみならずカラー写真についても元となったデジタル画像をインクジェットプリンタなどのドットプリンタを用いて印刷媒体上に印刷できるようになってきている。【０００３】  紫外光励起による蛍光色材は粒度が大きく、従来、インクジェットで飛ばすことができず、蛍光色材を用いた画像は、従来、手描きで作られていた。しかしながら、近年の塗料技術の発達により、インクジェットで飛ばすことが可能な蛍光色材が開発されてきている（特許文献１及び２参照）。【０００４】  特許文献３及び４は、プリンタに赤色発光インク、緑色発光インク、青色発光インクを用いて印刷し、紫外線光照射下で色再現を行う技術を開示している。【０００５】
【特許文献１】  特開２００２−３６３４５５号公報
【特許文献２】  特開２００４−２９１５０８号公報
【特許文献３】  特開２００３−２１１７０９号公報
【特許文献４】  特開２００３−６３０９４号公報
【発明の開示】
【発明が解決しようとする課題】
【０００６】  一般的に、コンピュータ・モニタ中の「色」は光の三原色、赤色発光成分、緑色発光成分、青色発光成分で表現される。一方で、紙等の印刷媒体への色の表現は、色の三原色、シアン成分、マゼンダ成分、イエロ成分で行われる。この差異は、光を自ら発することで色を表現するか、外部からの光を反射させて色を表現するかの違いにより生じ、加法混色と減法混色の違いとなって現れる。
したがって、一般的に普及しているプリンタには、コンピュータ・モニタ中において光の三原色で表される色を、色の三原色で現わすための色変換を行うための色変換処理手段が組み込まれている。【０００７】  特許文献３に開示される技術は、赤色発光インク、緑色発光インク、青色発光インクを混合し、シアン色、マゼンダ色、イエロ色を作り出し、この混合されてシアン色、マゼンダ色、イエロ色とされたインクをプリンタにセットし、印刷する方法である。この方法によれば、赤色発光インク、緑色発光インク、青色発光インクの混合により、シアン色、マゼンダ色、イエロ色を得る工程に多大な労力を要するものである。【０００８】  特許文献４に開示される技術は、プリンタが備える色変換処理手段の機能をオフにして印刷を行うものである。この方法では、色変換処理手段に対するオン／オフ・スイッチング機能を備えるプリンタ及び／又はこのプリンタ専用のオン／オフ・スイッチング機能を発揮するプログラムが必要となる。【０００９】  したがって、今日において、一般的に普及したドットプリンタを用いて、色変換処理手段に対するオン／オフ・スイッチング機能やプリンタに特殊な改造を行うことなく紫外光照射下で色再現を行う簡便な印刷技術は存在していない。
本発明は上記実情を鑑みてなされたものであって、いわゆる減法混色を行うようにシアン色、マゼンダ色、イエロ色のインクを用いる印刷プリンタに特殊な改造（色変換処理手段の無効化など）を行わず、かつ煩雑な色調整の必要がなく、簡便に且つ精度よく発光インクを用いて紫外光励起により原画の色を再現できる印刷方法並びに発光インクを用いた印刷に利用される画像データ作成方法及びこれら方法を用いた印刷物、発光インク印刷システム、発光インク出力用色調調整プログラム及び該色調調整プログラムを組み込んだプリンタを提供することを目的とする。
【課題を解決するための手段】
【００１０】  上記課題を解決するため、本発明の減法混色を行うシアン色、マゼンダ色、イエロ色のインクを用いるための色変換処理手段を使用するインクジェットプリンタにより発光インクで印刷を行うための印刷用画像データの作成方法は、印刷すべき各画素の画像データに対して、画像データを構成する各画素の色相データを発光インクによる印刷を行うための色相データに変更する色相データ変更工程と、画像データを構成する各画素の明度データを反転させ発光インク用の明度データに変更する明度データ変更工程と、を有し、色相データ変更工程では、画像データの各画素の色相データにおいて、各画素色を表現している成分のうち赤色発光成分が、色相データ環において赤色と緑色成分の間に存する色に変換され、画像データの各画素色を表現している成分のうち緑色発光成分が、色相データ環において緑色と青色成分の間に存する色に変換され、画像データの各画素色を表現している成分のうち青色発光成分が、色相データ環において青色と赤色成分の間に存する色に変換される構成を備える。
また、さらに上記課題を解決するため、本発明の発光インクを用いた印刷のための画像データの作成方法は、上記工程に加えて、各画素の色相データの内、特定の色成分を他の色成分より強調するレベル補正工程を有する構成としてもよい。【００１１】  また、さらに上記課題を解決するため、本発明の発光インクを用いた印刷方法は、減法混色を行うシアン色、マゼンダ色、イエロ色のインクを用いるための色変換処理手段を使用するインクジェットプリンタに発光インクをセットするインクセット工程と、印刷すべき各画素の画像データに対して、画像データを構成する各画素の色相データを発光インクによる印刷を行うための色相データに変更する色相データ変更工程と、画像データを構成する各画素の明度データを反転させ発光インク用の明度データに変更する明度データ変更工程と、色相データ変更工程および明度データ変更工程によって変更された画像データを用いて前記インクジェットプリンタにより印刷を行う工程と、からなり、色相データ変更工程では、画像データの各画素の色相データにおいて、各画素色を表現している成分のうち赤色発光成分が、色相データ環において赤色と緑色成分の間に存する色に変換され、画像データの各画素色を表現している成分のうち緑色発光成分が、色相データ環において緑色と青色成分の間に存する色に変換され、画像データの各画素色を表現している成分のうち青色発光成分が、色相データ環において青色と赤色成分の間に存する色に変換される構成を備える。
また、本発明の発光インクを用いた印刷方法は、各画素の色相データの内、特定の色成分を他の色成分より強調するレベル補正工程をさらに備えてもよい。【００１２】  また、さらに上記課題を解決するため、本発明の減法混色を行うシアン色、マゼンダ色、イエロ色のインクを用いるための色変換処理手段を使用するインクジェットプリンタにより発光インクを用いて印刷を行うための画像データの作成を演算処理ユニットに実行させるためのプログラムは、印刷すべき各画素の画像データに対して、画像データを構成する各画素の色相データを発光インクによる印刷を行うための色相データに変更する色相データ変更工程と、画像データを構成する各画素の明度データを反転させ発光インク用の明度データに変更する明度データ変更工程と、を有し、色相データ変更工程では、画像データの各画素の色相データにおいて、各画素色を表現している成分のうち赤色発光成分が、色相データ環において赤色と緑色成分の間に存する色に変換され、画像データの各画素色を表現している成分のうち緑色発光成分が、色相データ環において緑色と青色成分の間に存する色に変換され、画像データの各画素色を表現している成分のうち青色発光成分が、色相データ環において青色と赤色成分の間に存する色に変換される、構成を有する。【００１３】  また、本発明の色調整プログラムは、各画素の色相データの内、特定の色成分を他の色成分より強調するレベル補正工程をさらに備えてもよい。このような色調整プログラムを組み込んだデジタルメディア、コンピュータ・デバイスまたはインクジェットプリンタも本発明を構成する。
【発明の効果】
【００１４】  本発明によれば、紫外線照射下で色表現をする印刷物を、一般的に普及するプリンタを用いて簡便に作り出すことができる。また、印刷物中の印刷像全体の明るさをより自然に感じるよう調整可能となる。
【発明を実施するための最良の形態】
【００１５】    （実施の形態１）
本発明の一実施の形態を図１に示す。図１は、本発明の発光インクを用いた印刷方法のフローチャートである。この印刷方法は、減法混色を行うシアン色、マゼンダ色、イエロ色のインクを用いるための色変換処理手段を使用するインクジェットプリンタに発光インクをセットするインクセット工程と、発光インクを用いた印刷のための画像データを変換するプログラムを演算処理するユニットまたは装置に画像データを入力、または転送する画像データ準備工程と、印刷すべき各画素の画像データに対して、前記画像データを構成する各画素の色相データを発光インクによる印刷を行うための色相データに変更する色相データ変更工程と、画像データを構成する各画素の明度データを反転させ発光インク用の明度データに変更する明度データ変更工程と、各画素の色相データの内、特定の色成分を他の色成分より強調するレベル補正工程と、色相データ変更工程および明度データ変更工程によって変更された画像データを出力し、インクジェットプリンタにより印刷を行わせる出力工程と、を備える。【００１６】  図１に示す例において、インクセット工程は、画像データ準備工程と平行して行われる形態であるが、インクセット工程は出力工程の実行前であれば、いずれの段階で行われてもよい。
また、図１に示す例においては、色相データ変更工程の後に階調工程が行われているが、明度データ変更工程の後に色相データ変更工程が行われてもよいし、また同時に行われてもよい。【００１７】  図２は、インクセット工程を示す。図２（ａ）は、一般的に市販されている減法混色を行うシアン色、マゼンダ色、イエロ色のインクを用いるための色変換処理手段を使用するインクジェット式プリンタに用いられるインクカートリッジを示し、図２（ｂ）は、本発明に用いられるインクカートリッジを示す。
一般的に市販される反射色用のインクジェットプリンタは、シアン色（図２中、「Ｃ」の記号で表される）、マゼンダ色（図２中、「Ｍ」の記号で表される）及びイエロ色（図２中、「Ｙ」の記号で表される）のインクを収容したインクカートリッジ（１００）が用いられ、これらインクはインクカートリッジ（１００）内で区画され、互いに混合しないようにされている。
また、一般に市販されるインクジェットプリンタのうち、廉価なものの中には、シアン色、マゼンダ色及びイエロ色のインクを塗出するタイプのものがあり、高価なプリンタの多くは、シアン色、マゼンダ色、イエロ色に加えてブラック色（図２中、「Ｋ」の記号で表される）のインクを塗出する。【００１８】  インクセット工程において、使用するプリンタに用いられるインクカートリッジ（１００）と同形・同大のインクカートリッジ（１０１）を用意する。インクカートリッジ（１０１）には、青色に発光する青色発光インク（図２中、「Ｂ」の記号で表される）、赤色に発光する赤色発光インク（図２中、「Ｒ」の記号で表される）及び緑色に発光する緑色発光インク（図２中、「Ｇ」の記号で表される）が収容される。尚、使用するプリンタが、シアン色、マゼンダ色、イエロ色に加えてブラック色を用いるタイプであるならば、本発明において用意されるインクカートリッジは、青色に発光する発光インク、赤色に発光する発光インク、緑色に発光する発光インクに加えて、白色に発光する発光インクを収容する。【００１９】  図２に示す例においては、インクカートリッジ（１００）において、シアン色のインクが収容されていた区画に対応するインクカートリッジ（１０１）の区画には、青色発光インクが収容され、インクカートリッジ（１００）において、マゼンダ色のインクが収容されていた区画に対応するインクカートリッジ（１０１）の区画には、赤色発光インクが収容され、インクカートリッジ（１００）において、イエロ色のインクが収容されていた区画に対応するインクカートリッジ（１０１）の区画には、緑色発光インクが収容されている。
尚、インクカートリッジ（１００）が黒色のインクを収容する区画を備えるならば、この黒色インクを収容する区画に対応するインクカートリッジ（１０１）の区画には、白色発光インクが収容される。【００２０】  インクカートリッジ（１００）において、シアン色のインクが収容されていた区画に対応するインクカートリッジ（１０１）の区画に赤色発光インク若しくは緑色発光インクを収容してもよく、インクカートリッジ（１００）において、マゼンダ色のインクが収容されていた区画に対応するインクカートリッジ（１０１）の区画に青色発光インク若しくは緑色発光インクを収容してもよく、インクカートリッジ（１００）において、イエロ色のインクが収容されていた区画に対応するインクカートリッジ（１０１）の区画に青色発光インク若しくは赤色発光インクを収容してもよいが、この場合には後に述べる色相データ変更工程での各画素の色相変更に変更を加える必要がある。【００２１】  本発明の実施の形態におけるシステム例を図３に示す。図３は、発光インク印刷システムの模式図である。図３に示す発光インク印刷システム（９００）は、撮像装置（２００）、コンピュータ（３００）及びプリンタ（１０３）を備える。
撮像装置（２００）は、デジタルカメラや撮像機能付携帯電話などの撮像された画像をデジタル化して保存するとともに送信する機能を備える装置を意味する。この撮像装置（２００）により得られたデジタル画像データがコンピュータ（３００）へ送信され、コンピュータ（３００）のメモリに保存される。本明細書において、撮像装置（２００）により得られたデジタル画像データを後述する画像処理の対象とするが、本発明はこれに限られるものではなく、インターネットを介して入手されたデジタル画像データや他のデジタル化された画像データも本発明に好適に利用可能である。
図１に示す画像データ準備工程は、撮像装置（２００）を用いて、所望の画像を撮影し、この撮影された画像データをコンピュータ（３００）に送信或いは入力し、コンピュータ（３００）内のメモリに保存する工程、インターネットを介して所望の画像を入手し、入手された画像をコンピュータ（３００）のメモリに保存する工程や画像データを保存したデジタルメディア（ＣＤ−ＲＯＭなど）をコンピュータ（３００）内にインストールする工程など、コンピュータ（３００）内で対象デジタル画像データに対して画像処理を行うことができる状態におくことを意味する。【００２２】  コンピュータ（３００）は、上述の画像データ準備工程において得られた画像データを格納するメモリ（記憶装置）と、メモリ内に格納された画像データに対して後述する画像処理を実行する色調整プログラムを備える。
色調整プログラムは、図１に示す色相データ変更工程、明度データ変更工程及びレベル補正工程を実行し、これら工程を経て色調整されたデジタル画像データの出力指令をプリンタ（１０３）に送信する。
尚、図３に示す例において、色調整手段として色調整プログラムがコンピュータ（３００）にインストールされている形態を示しているが、プリンタ（１０３）が有するメモリユニットに色調整プログラムが組み込まれてもよい。【００２３】  プリンタ（１０３）には、図２に関連して説明したインクカートリッジ（１０１）が搭載されている。
プリンタ（１０３）は、一般に市場で入手可能なインクジェット式プリンタである。一般的に普及しているプリンタには、コンピュータ・モニタ中において光の三原色で表される色を、色の三原色で現わすための色変換を行うための色変換処理手段が組み込まれている。
この色変換処理手段は、例えば、コンピュータ（３００）のモニタ上で、赤色に表現されている画素の部分を印刷する場合には、図２（ａ）に示すインクカートリッジ（１００）のイエロ色のインクが収容された区画とマゼンダ色のインクが収容された区画からインクを塗出するようにプリンタ（１０３）に指令を与える。同様に、コンピュータ（３００）のモニタ上で、緑色に表現されている画素の部分を印刷する場合には、図２（ａ）に示すインクカートリッジ（１００）のイエロ色のインクが収容された区画とシアン色のインクが収容された区画からインクを塗出するようにプリンタ（１０３）に指令を与え、コンピュータ（３００）のモニタ上で、青色に表現されている画素の部分を印刷する場合には、図２（ａ）に示すインクカートリッジ（１００）のマゼンダ色のインクが収容された区画とシアン色のインクが収容された区画からインクを塗出するようにプリンタ（１０３）に指令を与える。【００２４】  したがって、図２に示す例においては、インクカートリッジ（１００）をインクカートリッジ（１０１）に入れ換えられたプリンタ（１０３）を用いると、コンピュータ（３００）のモニタ上で、赤色に表現されている画素の部分を印刷する場合には、赤色発光インクと緑色発光インクが塗出されることになる。同様に、コンピュータ（３００）のモニタ上で、緑色に表現されている画素の部分を印刷する場合には、青色発光インクと緑色発光インクが塗出され、コンピュータ（３００）のモニタ上で、青色に表現されている画素の部分を印刷する場合には、青色発光インクと赤色発光インクが塗出されることとなる。
この結果、コンピュータ（３００）のモニタ上の画像と、紙などの印刷媒体上の印刷像の色合いが一致しなくなる。
コンピュータ（３００）にインストールされた色調整プログラムは、図１に示す色相データ変更工程、明度データ変更工程、レベル補正工程をコンピュータ（３００）に実行させることで、このプリンタ（１０３）が備える色変換処理プログラムの作動に起因するモニタ画像と印刷像の色合いの不整合を解消する。【００２５】  図４は、画像データ準備工程で準備されるデジタル画像データの一例を示す。
デジタル画像データ（Ｄ）は、デジタルカメラやスキャナなどの撮像装置から得られるものの他、インターネットを介して得られる画像データであってもよく、デジタル式に構築されたあらゆる画像データが本発明に適用可能である。本実施例においては、画像データ準備工程を経て、デジタル画像データ（Ｄ）はコンピュータ（３００）内に記憶されている。
図４に示すデジタル画像データ（Ｄ）は、ビットマップ形式で現されているが、ベクトル形式で現されるものを使用してもよい。
デジタル画像データ（Ｄ）を構成する複数の画素のそれぞれの色は、コンピュータ（３００）のモニタ上において、赤色発光色（Ｒ）、緑色発光色（Ｇ）及び青色発光色（Ｂ）を組み合わせて表現されている。また、各画素のそれぞれの色を構成する赤色発光色（Ｒ）、緑色発光色（Ｇ）及び青色発光色（Ｂ）それぞれは、複数種の光強度（画素値）で表現され、本実施例においては、光強度は８ビット（０から２５５）で表現される。【００２６】  図５は、図４に示すコンピュータ（３００）のモニタ上のデジタル画像データ（Ｄ）に対する光強度のヒストグラムである。図５（ａ）は、Ｒ（赤色発光色）のヒストグラムであり、図３（ｂ）はＧ（緑色発光色）のヒストグラムであり、図５（ｃ）はＢ（青色発光色）のヒストグラムである。
図５に示すデジタル画像データ（Ｄ）について、横軸に光強度をとり、縦軸に画素数をとり、これをＲ（赤）、Ｇ（緑）及びＢ（青）それぞれについてグラフ化すると、図５に示すようなヒストグラムが得られる。【００２７】  図６は、色相環を示す。図６に示す色相環は単純化して現わすために１２分割して示されるが、実際には本実施例においては１６，７７７，２１６色（２５６３色）分割された色相環が用いられる。
図６に示すように、色相環において、赤色から緑色の間に存する領域は、赤色成分と緑色成分で表現される色領域である。イエロ色は、同量の赤色成分と緑色成分が混合されて表現される。赤色からイエロ色の間に存する領域においては、赤色成分が緑色成分よりも多く、イエロ色から緑色の間に存する領域においては、緑色成分が赤色成分よりも多い。
色相環において、緑色から青色の間に存する領域は、緑色成分と青色成分で表現される色領域である。シアン色は、同量の緑色成分と青色成分が混合されて表現される。緑色からシアン色の間に存する領域においては、緑色成分が青色成分よりも多く、シアン色から青色の間に存する領域においては、青色成分が緑色成分よりも多い。
色相環において、青色から赤色の間に存する領域は、青色成分と赤色成分で表現される色領域である。マゼンダ色は、同量の青色成分と赤色成分が混合されて表現される。青色からマゼンダ色の間に存する領域においては、青色成分が赤色成分よりも多く、マゼンダ色から赤色の間に存する領域においては、赤色成分が青色成分よりも多い。【００２８】  上述の画像データ準備工程において、コンピュータ（３００）に格納されたデジタル画像データを構成する各画素の色は、赤色発光成分、緑色発光成分及び青色発光成分を組み合わせることにより表現される。
この各画素の色を表現している成分のうち赤色発光成分は、色相データ変更工程の実行により、色相環において、緑色成分と青色成分とで表現される領域に存する色のうちの１つに変換される。好ましくは、緑色成分が青色成分よりも多い領域、即ち、緑色とシアン色の間に存する色のうち１つに変換される。
各画素の色を表現している成分のうち緑色発光成分は、色相データ変更工程の実行により、色相環において、青色成分と赤色成分とで表現される領域に存する色のうちの１つに変換される。好ましくは、青色成分が赤色成分よりも多い領域、即ち、青色とマゼンダ色の間に存する色のうち１つに変換される。
各画素の色を表現している成分のうち青色発光成分は、色相データ変更工程の実行により、色相環において、赤色成分と緑色成分とで表現される領域に存する色のうちの１つに変換される。好ましくは、赤色成分が緑色成分よりも多い領域、即ち、赤色とイエロ色の間に存する色のうち１つに変換される。
尚、色相データ変更工程の処理の簡便化の下、赤色発光成分から赤色発光成分に対して色相変更処理を施した後の色までの色相環における角変位量、緑色発光成分から緑色発光成分に対して色相変更処理を施した後の色までの色相環における角変位量及び青色発光成分から青色発光成分に対して色相変更処理を施した後の色までの色相環における角変位量が互いに等しくされてもよい。これにより、赤色発光成分、青色発光成分及び緑色発光成分に対して、例えば、１３０°以上１５０°以下の時計回りの角変位量で移動させた位置に存する色を選択させるという処理を行うことができる。このような色相データ変更工程の処理の後、減法混色を行うインクと発光インクとで明度が１８０度異なるため、明度データ変更工程が必要となる。この工程は、本実施の形態では各画素の色を表現している成分を１８０度回転する作業、工程となっている。【００２９】  尚、上記説明は、図２に示す態様でインクカートリッジ（１００）をインクカートリッジ（１０１）に変更した例についてのものであるが、インクカートリッジ（１００）において、シアン色のインクが収容されていた区画に対応するインクカートリッジ（１０１）の区画に赤色発光インク若しくは緑色発光インクが収容され、マゼンダ色のインクが収容されていた区画に対応するインクカートリッジ（１０１）の区画に青色発光インク若しくは緑色発光インクが収容され、インクカートリッジ（１００）において、イエロ色のインクが収容されていた区画に対応するインクカートリッジ（１０１）の区画に青色発光インク若しくは赤色発光インクが収容されている場合には、この色相データ変更工程において選択される色相は異なるものとなる。【００３０】  インクカートリッジ（１００）において、シアン色のインクが収容されていた区画に対応するインクカートリッジ（１０１）の区画に緑色発光インクが収容され、マゼンダ色のインクが収容されていた区画に対応するインクカートリッジ（１０１）の区画に青色発光インクが収容され、イエロ色のインクが収容されていた区画に対応するインクカートリッジ（１０１）の区画に赤色発光インクが収容される場合には、各画素の色を表現している成分のうち赤色発光成分は、色相データ変更工程中に、色相環において、青色成分と赤色成分とで表現される領域に存する色のうちの１つに変換される。好ましくは、青色成分が赤色成分よりも多い領域、即ち、青色とマゼンダ色の間に存する色のうち１つに変換される。
また各画素の色を表現している成分のうち緑色発光成分は、色相データ変更工程中に、色相環において、赤色成分と緑色成分とで表現される領域に存する色のうちの１つに変換される。好ましくは、赤色成分が緑色成分よりも多い領域、即ち、赤色とイエロ色の間に存する色のうち１つに変換される。
更に各画素の色を表現している成分のうち青色発光成分は、色相データ変更工程中に、色相環において、緑色成分と青色成分とで表現される領域に存する色のうちの１つに変換される。好ましくは、緑色成分が青色成分よりも多い領域、即ち、緑色とシアン色の間に存する色のうち１つに変換される。【００３１】  インクカートリッジ（１００）において、シアン色のインクが収容されていた区画に対応するインクカートリッジ（１０１）の区画に赤色発光インクが収容され、マゼンダ色のインクが収容されていた区画に対応するインクカートリッジ（１０１）の区画に緑色発光インクが収容され、イエロ色のインクが収容されていた区画に対応するインクカートリッジ（１０１）の区画に青色発光インクが収容される場合には、各画素の色を表現している成分のうち赤色発光成分は、色相データ変更工程中に、色相環において、赤色成分と緑色成分とで表現される領域に存する色のうちの１つに変換される。好ましくは、赤色成分が緑色成分よりも多い領域、即ち、赤色とイエロ色の間に存する色のうち１つに変換される。
また各画素の色を表現している成分のうち緑色発光成分は、色相データ変更工程中に、色相環において、緑色成分と青色成分とで表現される領域に存する色のうちの１つに変換される。好ましくは、緑色成分が青色成分よりも多い領域、即ち、緑色とシアン色の間に存する色のうち１つに変換される。
更に各画素の色を表現している成分のうち青色発光成分は、色相データ変更工程中に、色相環において、青色成分と赤色成分とで表現される領域に存する色のうちの１つに変換される。好ましくは、青色成分が赤色成分よりも多い領域、即ち、青色とマゼンダ色の間に存する色のうち１つに変換される。【００３２】  図７は、色相データ変更工程後のデジタル画像データ（Ｄ１）を示す。上記の色相データ変更工程の操作により、デジタル画像データ（Ｄ１）の色相は、元のデジタル画像データ（Ｄ）の色相に対して色相変更された後の色となっている。【００３３】  一般のインクジェットプリンタの出力を行う場合、印刷物など反射光によって表現するものに用いられる減法混色のため、色を表現するのに、シアン（Ｃｙａｎ）、マゼンタ（Ｍａｇｅｎｔａ）、イエロー（Ｙｅｌｌｏｗ）の混合によって色彩を表現する方法であり、これら３色は色を重ねるごとに暗くなり、３色を等量で混ぜ合わせると黒色になる。一方、発光インクを用いた紫外線照射環境下での画像においては、これに対して、赤（Ｒｅｄ）、緑（Ｇｒｅｅｎ）、青（Ｂｌｕｅ）から成る光の３原色の混合による色の表現法となる。これは加法混色と呼ばれるものである。加法混色では色を重ねるごとに明るくなり、発光体の発色方式として用いられる。したがって、色相データ変更された後の色をそのまま発光インクで印刷し、紫外線照射環境下で画像をみると、図７に示すように明度がまったく反転し黒が白、白が黒となる。従って明度データ変更工程が必要となる。【００３４】  デジタル画像を構成する各画素（ピクセル）における、Ｒ（赤）、Ｇ（緑）、Ｂ（青）の光強度をＩＲ、ＩＧ、ＩＢとし、デジタル画像を構成する各画素ＰをＰ（ＩＲ、ＩＧ、ＩＢ）として表現する。明度データ変更工程においては、光強度の反転処理が行われる。光強度の反転には、以下の式が用いられる。式中のｒｅｖＩＲ、ｒｅｖＩＧ、ｒｅｖＩＢは反転後のＲＧＢの光強度をそれぞれ意味する。【００３５】
【数１】
2008080789.tif 000003
【００３６】
【数２】
2008080789.tif 000004
【００３７】
【数３】
2008080789.tif 000005
【００３８】  上述した本発明の色調整プログラムは、コンピュータ・デバイス、プリンタ、ＣＤＲＯＭ等のデジタルメディア或いは撮像装置に組み込まれる形態で使用可能である。そして、色調整プログラムは、コンピュータ・デバイスやプリンタ或いはその他装置の演算処理ユニット（例えば、ＣＰＵ）に上記の算出工程を実行させる。明度データ変更工程の後にレベル補正工程が実行される。
レベル補正工程において、特定の色成分を強調する補正が実行される。この特定の色成分を強調する補正は、紫外線光下環境において、赤色発光成分、緑色発光成分及び青色発光成分の露光レベルの相違に起因して必要とされるものであり、この特定の色成分を強調する補正なしでは印刷後に得られる印刷像のコントラストが全般的に低いものとなる。
本実施形態においては、青色発光成分の強調を行う。尚、以下の説明は、図２に示すインクセットの状態下に対するものである。
強調を行う色の選択は、使用する紫外線光照射源、紙や布などの印刷媒体の性質や発光インクの種類に応じて適宜変更可能である。【００３９】  上記の色相データ変更工程及び明度データ変更工程を経て、当初のデジタル画像データ（Ｄ）の色を表現していた赤色発光成分は、色相環において、マゼンダ色と赤色の間に存する色のうち１つに変更されることとなる。また、当初のデジタル画像データ（Ｄ）の色を表現していた緑色発光成分は、色相環において、イエロ色と緑色の間に存する色のうち１つに変更されることとなる。更に、当初のデジタル画像データ（Ｄ）の色を表現していた青色発光成分は、色相環において、シアン色と青色の間に存する色のうち１つに変更されることとなる。【００４０】  色相環のマゼンダ色から赤色の領域の色変化は、青色成分の変化により生じ、赤色成分は最大値（赤色発光成分の光強度が最大）で一定である。色相環のイエロ色から緑色の領域の色変化は、赤色成分の変化により生じ、緑色成分は最大値（緑色発光成分の光強度が最大）で一定である。色相環のシアン色から青色の領域の色変化は、緑色成分の変化により生じ、青色成分は最大値（青色発光成分の光強度が最大）で一定である。
したがって、青色発光成分の強調を行いたい場合には、赤色発光成分と緑色発光成分に関連する色成分に対しての調整が行われることとなる。【００４１】  上述の如くして、デジタル画像データに対する色調調整が行われた後、出力工程が行われる。印刷像が作られる媒体は、本発明において限定されるものではなく、任意の画像表示材料を用いることができる。画像表示材料を用いた印刷の例として、普通紙に印刷して印刷物を作り出すこと、壁紙などの室内装飾用シート材料に印刷して室内装飾印刷物を作り出すことやテーブルクロス用のシート材料に印刷してテーブルクロスを作り出すことが例示できる。即ち、印刷対象物は、使用されるプリンタ（１０３）が出力可能な媒体全てである。
更には、プリンタ（１０３）が発光インク（赤色発光インク、緑色発光インク、青色発光インク及び／又は白色発光インク）と反射色ベースのインク（シアン色インク、マゼンダ色インク、イエロ色インク及び／又は黒色インク）を同時に搭載可能なものであってもよい。このように２種のインクを同時に搭載可能なプリンタを用いることにより、通常光（太陽光や蛍光灯からの光など）からの光を反射させることにより色を表現する印刷像と、紫外線光を受けて自ら発光することにより色を表現する印刷像を同時に１つの印刷媒体に作り出すことができる。また、発光インクを用いての印刷と反射色ベースのインクを用いての印刷が、コンピュータ（３００）を介して或いはプリンタ（１０３）に取付けられた切り替えスイッチを介して、適宜選択可能とされることが好ましい。【００４２】    （実施の形態２）
本発明の他の実施の形態を以下に説明する。本実施の形態において、実施の形態１と同じ構成については、説明を略する。図８は、実施の形態２の発光インクを用いた印刷方法のフローチャートである。実施の形態２の発光インクを用いた印刷方法は、減法混色を行うシアン色、マゼンダ色、イエロ色のインクを用いるための色変換処理手段を使用するインクジェットプリンタに発光インクをセットするインクセット工程３０１と、印刷すべき各画素の画像データを色調整デバイスに取り込む画像データ準備工程３０２と、色調整デバイスに取り込まれた前記画像データに対して、画像データを構成する各画素の色相データを発光インクを用いて印刷を行うための色相データに変更する色相データ変更工程３０３と、画像データを構成する各画素の明度データを反転させ発光インク用の明度データに変更する明度データ変更工程３０４と、各画素の色相データの内、特定の色成分を他の色成分より強調するレベル補正工程３０５と、色調整デバイスにおいて色相データ変更工程および明度データに変更する明度データ変更工程により変更されたから画像印刷用データを用いてインクジェットプリンタなどによる印刷を行う印刷工程３０６とからなる。【００４３】  特に本実施の形態で、実施の形態１と異なる色相データ変更工程３０３について、詳細に説明する。図９に示すように、画像データの各画素の色相データにおいて、各画素色を表現している成分のうち赤色発光成分Ｒが、色相データ環において赤色と緑色成分の間に存する色Ｙに変換され、画像データの各画素色を表現している成分のうち緑色発光成分Ｇが、色相データ環において緑色と青色成分の間に存する色Ｃに変換され、画像データの各画素色を表現している成分のうち青色発光成分Ｂが、色相データ環において青色と赤色成分の間に存する色Ｍに変換される、構成を有する。【００４４】  すなわち、色相データ変更工程３０３では、実施の形態１と同様に、デジタル画像を構成する各画素（ピクセル）における、Ｒ（赤）、Ｇ（緑）、Ｂ（青）の光強度をＩＲ、ＩＧ、ＩＢとし、デジタル画像を構成する各画素ＰをＰ（ＩＲ、ＩＧ、ＩＢ）として表現すると、この場合、各点Ｐの色相は色相環において６０度の色相変換が行われることになる。【００４５】  このように、反射色ベースのインクのために構成されている元の画像データの各画素の色相データを、色相データ変更工程３０３によって、発光インクを用いて印刷を行うために色相データに変更することで、インクジェットプリンタから発光インクが吐出されても、紫外光照射としてのブラックライトを照射したときに元のソースとなった原画に極めて近い映像が現出される。元のソースとなった原画は、デジタルカメラやスキャナなどの撮像装置から得られるものの他、インターネットを介して得られる画像データで、これらが液晶表示装置上で現出されるのと極めて近い画像を、ブラックライトを照射した環境下あっても原画に近いイメージで再現可能である。本実施の形態の印刷方法では、インクセット工程３０１は、画像データ準備工程３０２と平行して行われてもよく、色相データ変更工程３０３と、画像データを構成する各画素の明度データを反転させ発光インク用の明度データに変更する明度データ変更工程３０４とは、上述の順でなくても、各画素の色相データの内の特定の色成分を他の色成分より強調するレベル補正工程３０５および印刷工程の実行前であれば、任意の組み合わせの工程順で実施可能である。【００４６】  本実施の形態においても、図２に示すように、インクカートリッジ（１００）において、シアン色のインクが収容されていた区画に対応するインクカートリッジ（１０１）の区画には、青色発光インクが収容され、インクカートリッジ（１００）において、マゼンダ色のインクが収容されていた区画に対応するインクカートリッジ（１０１）の区画には、赤色発光インクが収容され、インクカートリッジ（１００）において、イエロ色のインクが収容されていた区画に対応するインクカートリッジ（１０１）の区画には、緑色発光インクが収容されている。
尚、インクカートリッジ（１００）が黒色のインクを収容する区画を備えるならば、この黒色インクを収容する区画に対応するインクカートリッジ（１０１）の区画には、白色発光インクが収容される。【００４７】  色相データ変更工程で色相変更されたデータで、そのまま発光インクで印刷し、紫外線照射環境下で画像をみると、図７に示すように明度がまったく反転し黒が白、白が黒となるので、実施の形態１と同様に、明度データ変更工程が必要となる。【００４８】  画像データを構成する各画素の明度データを反転させ発光インク用の明度データに変更する明度データ変更工程３０４では、画像データの各画素の明度である光強度ＩＲ、ＩＧ、ＩＢに対して、光強度の反転処理が行われる。光強度の反転には、実施の形態１と同じ式が用いられる。【００４９】  本実施形態においては、青色発光成分の強調を行う。各画素の色相データの内、特定の色成分を他の色成分より強調するレベル補正工程３０５における、特定の色成分を強調する補正は、紫外線光下環境において、赤色発光成分、緑色発光成分及び青色発光成分の露光レベルの相違に起因して必要とされるものであり、この特定の色成分を強調する補正なしでは印刷後に得られる印刷像のコントラストが全般的に低いものとなる。【００５０】  印刷工程３０６は、色相データ変更工程および明度データに変更する明度データ変更工程により変更されたから画像印刷用のデータを用いて、一般に市販されている減法混色を行うシアン色、マゼンダ色、イエロ色のインクを用いる印刷機（色変換処理手段を備えたインクジェットプリンタ）を使用し、印刷を行う。この場合には、このインクジェットプリンタには、発光インク（赤色発光インク、緑色発光インク、青色発光インク及び／又は白色発光インク）が所定の位置にセットされているので、発光インクを用いた印刷物が得られる。
前記発光インクに、青色発光インク（Ｂ）、赤色発光インク（Ｒ）および緑色発光インク（Ｇ）を用いることで上記の方法を用いて発光インクを用いた印刷が付された室内装飾印刷物や、発光インクを用いた印刷が付されたテーブルクロス、などが得られる。
【産業上の利用可能性】
【００５１】  本発明は、紫外光下で用いられる印刷物、室内装飾印刷物、テーブルクロス等の製造に好適に使用可能である。
【図面の簡単な説明】
【００５２】
【図１】  本発明の実施の形態１に係る印刷方法のフローチャートである。
【図２】  本発明の実施の形態に係る印刷方法のインクセット工程を示す図である。
【図３】  本発明の実施の形態１の印刷システムを示す図である。
【図４】  本発明の実施の形態１で用いられるデジタル画像データの一例を示す図である。
【図５】  図４に示すデジタル画像データの赤色発光成分、緑色発光成分、青色発光成分のヒストグラムを示す図である。
【図６】  本発明の実施の形態１で用いられるデジタル画像データの説明で用いられる色相環を示す図である。
【図７】  本発明で用いられるデジタル画像データの明度データ変更前のデータの一例を示す図である。
【図８】  本発明の実施の形態２に係る印刷方法のフローチャートである。
【図９】  本発明の実施の形態２に係る色相データ変更工程の説明図である。
【符号の説明】
【００５３】  １００  インクカートリッジ、１０１  インクカートリッジ、１０３  インクジェットプリンタ、２００  撮像装置、３００  コンピュータ（演算処理ユニット）、３０１  インクセット工程、３０２  画像データ準備工程、３０３  色相データ変更工程、３０４  明度データ変更工程、３０５  レベル補正工程、３０６  印刷工程、９００  印刷システム、Ｄ  デジタル画像データ。
【図１】
2008080789.tif 000006
【図２】
2008080789.tif 000007
【図３】
2008080789.tif 000008
【図４】
2008080789.tif 000009
【図５】
2008080789.tif 000010
【図６】
2008080789.tif 000011
【図７】
2008080789.tif 000012
【図８】
2008080789.tif 000013
【図９】
2008080789.tif 000014